(57)【特許請求の範囲】
【請求項１】
高さ位置の異なる複数のポケット体が設けられた支柱に対して、前記いずれかのポケット体に楔着されるクサビと、前記クサビに一端が接続され水平方向に延びた水平材と、前記水平材の他端に接続されかつ上下方向に立体状に伸び、前記支柱と異なる他の支柱を支持するためのホゾとを有する仮設足場部材であって、
前記ホゾには、対向する外表面の位置に上下方向に延びた一対の案内孔が形成され、
前記案内孔は、前記他の支柱の支持高さを設定するための複数の掛止部を有し、
前記一対の案内孔に案内自在に挿通され、前記複数の掛止部のいずれかに掛止される棒状の掛止部材と、
前記掛止部材によって前記ホゾの表面に沿って支持され、前記他の支柱を担持するための略板状の止め部材とを備え、
前記止め部材の下端角部は、下方に向かって幅狭となるテーパ状とされていることを特徴とする、仮設足場部材。
【請求項２】
前記止め部材は、その上端面が水平に形成されている、請求項１に記載の仮設足場部材。
【請求項３】
前記止め部材は、平面視で弓状に形成されている、請求項１または２に記載の仮設足場部材。
【請求項４】
前記止め部材は、平面視でＣ字状に形成されている、請求項１または２に記載の仮設足場部材。
【発明の詳細な説明】
【技術分野】
【０００１】  本発明は、例えば建築現場等で組み立てられる仮設足場において、それに用いられる張り出しブラケットや梁枠等の仮設足場部材に関するものである。
【背景技術】
【０００２】  従来、仮設足場は、例えばビル等の建築工事において建築物に沿うようにして設けられ、作業者が作業を行うための足場板や手摺等が備えられる。仮設足場としては、例えばクサビ緊結式足場が知られている（例えば特許文献１参照）。【０００３】  クサビ緊結式足場では、図７に示すように、例えば複数の支柱１が建築物Ａの外面に沿って設けられる。そして、建築物Ａの外面と直交方向に例えば２列に支柱１が立設され、同方向に隣り合う支柱１同士は、ブラケット２等が取付けられて支持される。また、図示していないが、建築物Ａの外面に沿う方向には、同方向に隣り合う支柱１同士が、手摺等が取付けられて支持される。【０００４】  クサビ緊結式足場における各支柱１には、上下方向に所定間隔を隔てて複数のポケット体３が形成されている。上記ブラケット２や手摺等は、それらに形成されるクサビ４が各ポケット体３に楔着されることにより、支柱１に取付けられる。【０００５】  ポケット体３は、図８に示すように、２つの上部ポケット体３ａと、その高さ分だけ下げられた位置に取付けられた２つの下部ポケット体３ｂとからなる。これらの上部ポケット体３ａ及び下部ポケット体３ｂは、平面視で四方に放射状に広がるように形成されるとともに、側面視で隣り合うポケット体３ａ，３ｂ同士が上下に互い違いになるよう形成されている。【０００６】  ところで、クサビ緊結式足場では、建築物Ａに出っ張り部Ｂ（図７参照）があるような場合には、建築物Ａの外面に直交する方向に、外側の支柱１に対して例えば張り出しブラケット５が取付けられる。この張り出しブラケット５は、さらに外側に分岐用支柱６を立設させるためのものである。この張り出しブラケット５により、出っ張り部Ｂの外側に足場板（図略）や手摺７等を取付けることができる。【０００７】  張り出しブラケット５は、図８に示すように、略水平方向に延びる水平部材５１と、水平部材５１の一端に設けられたクサビ５２と、水平部材５１の他端に設けられ上方に延びたホゾ５３と、水平部材５１のほぼ中央から斜め方向に延び先端が自由端とされた支持部材５４と、水平部材５１及び支持部材５４を上下方向に結ぶ補強部材５５とからなる。ホゾ５３は、その下部に段差５６が形成されており、この段差５６により分岐用支柱６が係止支持される。【０００８】  張り出しブラケット５は、同図に示すように、クサビ５２が支柱１の例えば上部ポケット体３ａに楔着されることにより支柱１に取付けられる。張り出しブラケット５のホゾ５３には、分岐用支柱６が嵌着されて支持される。分岐用支柱６は、その上部に支柱１と同様のポケット体８を有しており、ポケット体８は、上部ポケット体８ａと下部ポケット体８ｂとからなる。ポケット体８の取付位置は、分岐用支柱６がホゾ５３に嵌着されたとき、上部ポケット体８ａの高さ位置が支柱１の上部ポケット体３ａの高さ位置と一致するような位置に設定されている（図８参照）。【０００９】  ここで、支柱１では、平面視で約９０度向きが変えられて敷設される場合があり、この場合に張り出しブラケット５が取付けられるときには、図９（ａ）に示すように、張り出しブラケット５のクサビ５２が支柱１の下部ポケット体３ｂに楔着される。した��って、張り出しブラケット５のホゾ５３に分岐用支柱６が嵌着されたときには、上部ポケット体８ａの高さ位置が支柱１の上部ポケット体３ａの高さ位置と一致しなくなり、足場板や手摺７等が水平方向を維持して設けることができないといった問題点があった。【００１０】  そこで、従来では、分岐用支柱６の上部ポケット体８ａの高さ位置と、支柱１の上部ポケット体３ａの高さ位置とを一致させるために、図９（ｂ）に示すように、張り出しブラケット５に比して上部ポケット体３ａの高さ分だけ段差５６の高さ位置が高い張り出しブラケット５′を別途準備していた。そして、必要に応じて張り出しブラケット５，５′をそれぞれ使い分けるようにしていた。【００１１】  ところが、上記の方法では、支柱１の向きが変えられるごとに、張り出しブラケット５，５′をそれぞれ使い分ける必要がある。すなわち、クサビ５２が支柱１の上部ポケット体３ａに楔着されるときには、張り出しブラケット５を用い（図８参照）、クサビ５２が支柱１の下部ポケット体３ｂに楔着されるときには、張り出しブラケット５′を用いる（図９（ｂ）参照）。そのため、非常に手間であり、種類の異なる張り出しブラケット５，５′をそれぞれ管理しなければならないといった問題点があった。【００１２】  また、他の方法として、図１０に示すように、上部ポケット体３ａの高さ分の高さを有する環状のスペーサ５７を別途準備する方法がある。すなわち、支柱１の向きが変えられて張り出しブラケット５のクサビ５２が支柱１の下部ポケット体３ｂに楔着される場合には、分岐用支柱６のホゾ５３に当該スペーサ５７を嵌め込み、その上方に分岐用支柱６をホゾ５３に嵌着させるようにしていた。【００１３】  ところが、このスペーサ５７を用いる方法では、スペーサ５７が分岐用支柱６とは別体であるため、スペーサ５７を紛失することがありその管理が手間であるといった問題点があった。
【先行技術文献】
【特許文献】
【００１４】
【特許文献１】特開２０１１−１１１８８８号公報
【発明の概要】
【発明が解決しようとする課題】
【００１５】  本発明は、上記した事情のもとで考え出されたものであって、分岐用支柱の取付高さを容易に調整でき、支柱と分岐用支柱とのポケット体同士を同一高さに設定することのできる仮設足場部材を提供することを、その課題とする。
【課題を解決するための手段】
【００１６】  本発明によって提供される仮設足場部材は、高さ位置の異なる複数のポケット体が設けられた支柱に対して、前記いずれかのポケット体に楔着されるクサビと、前記クサビに一端が接続され水平方向に延びた水平材と、前記水平材の他端に接続されかつ上下方向に立体状に延び、前記支柱と異なる他の支柱を支持するためのホゾとを有する仮設足場部材であって、前記ホゾには、対向する外表面の位置に上下方向に延びた一対の案内孔が形成され、前記案内孔は、前記他の支柱の支持高さを設定するための複数の掛止部を有し、前記一対の案内孔に案内自在に挿通され、前記複数の掛止部のいずれかに掛止される棒状の掛止部材と、前記掛止部材によって前記ホゾの表面に沿って支持され、前記他の支柱を担持するための略板状の止め部材とを備え、前記止め部材の下端角部は、下方に向かって幅狭となるテーパ状とされていることを特徴としている。【００１８】  本発明の仮設足場部材において、前記止め部材は、その上端面が水平に形成されているとよい。【００１９】  本発明の仮設足場部材において、前記止め部材は、平面視で弓状に形成されているとよい。【００２０】  本発明の仮設足場部材において、前記止め部材は、平面視でＣ字状に形成されているとよい。
【発明の効果】
【００２１】  本発明によれば、ホゾに形成される案内孔は複数の掛止部を有しているため、これらの掛止部のいずれかに必要に応じて掛止部材を掛止することにより、止め部材の高さ位置を異なる位置に設定することができる。そのため、止め部材は、他の支柱（例えば分岐用支柱）を担持するので、分岐用支柱の取付高さを容易に調整することができ、支柱と分岐用支柱とのポケット体同士を同一高さに確実に設定することができる。【００２２】  また、案内孔の下端の高さ位置が仮に支持部材の胴体部と高さ位置が重なったとしても、止め部材の下端角部が下方に向かって幅狭となるテーパ状とされているので、支持部材と止め部材との接触を回避することができる。
【図面の簡単な説明】
【００２３】
【図１】本発明に係る仮設足場部材の一例としての張り出しブラケットを示す側面図であり、張り出しブラケットを支柱の上部ポケット体に取付けた場合の図である。
【図２】張り出しブラケットの部分斜視図であり、（ａ）は分解図、（ｂ）は組立図である。
【図３】張り出しブラケットの部分斜視図であり、止め部材の位置が図２に示す状態と異なる場合に示す図である。
【図４】張り出しブラケットを支柱の下部ポケット体に取付けた場合の側面図である。
【図５】止め部材の変形例を示す図である。
【図６】仮設足場部材の一例としての梁枠を示す正面図である。
【図７】仮設足場の一例を示す側面図である。
【図８】従来の張り出しブラケットを支柱の上部ポケット体に取付けた場合の図である。
【図９】従来の張り出しブラケットを示し、（ａ）は張り出しブラケットを支柱の下部ポケット体に取付けた場合の図であり、（ｂ）は他の張り出しブラケットを示す図である。
【図１０】従来の張り出しブラケットのホゾにスペーサを介して分岐用支柱を支持した場合の状態を示す図である。
【発明を実施するための形態】
【００２４】  以下、本発明の実施の形態につき、図面を参照して具体的に説明する。
【００２５】  本発明に係る仮設足場部材の一例としての張り出しブラケットは、例えば背景技術の欄で説明した建築工事等の仮設足場（図７参照）に用いられる。より詳細には、張り出しブラケットは、建築物Ａに出っ張り部Ｂがある場合にそれを回避して支柱１又は分岐用支柱６を取付けるときに用いるものである。なお、以下の説明において、背景技術の欄で説明した同一機能の部材については同符号で示す。
【００２６】  図１は、上記張り出しブラケットを支柱の上部ポケット体に取付けた場合の側面図である。図２は、張り出しブラケットの部分斜視図であり、（ａ）は分解図、（ｂ）は組立図である。
【００２７】  張り出しブラケット１０は、建築物Ａの外面に沿う支柱１に対して取付けられ、略水平方向に延びる水平部材１１と、水平部材１１の一端に設けられたクサビ１２と、水平部材１１の他端に設けられ上方に延びたホゾ１３と、水平部材１１の中央からホゾ１３側からクサビ１２側に向けて斜め下方に延び先端に自由端が形成された支持部材１４と、水平部材１１及び支持部材１４を上下方向に結ぶ補強部材１５と、ホゾ１３の表面に沿って支持される一対の止め部材１６と、両止め部材１６を支持する掛止ボルト１７及び掛止ナット１８とからなる。
【００２８】  ホゾ１３は、図２に示すように、略円筒状に形成され、外表面に略逆Ｌ字状の案内孔２１が形成されている。案内孔２１は、ホゾ１３の反対側の外表面にも対向するようにして形成されている。案内孔２１は、上下方向に所定長さだけ延びたガイド部２１ａと、ガイド部２１ａの上端から水平方向に延びた水平部２１ｂと、水平部２１ｂの先端から若干下方に延びた先端延出部２１ｃとをそれぞれ有している。
【００２９】  ここで、案内孔２１のガイド部２１ａの最下端は、掛止ボルト１７を掛止する第１の掛止部とされる。また、案内孔２１の先端延出部２１ｃの最下端は、掛止ボルト１７を掛止する第２の掛止部とされる。
【００３０】  すなわち、第１の掛止部（ガイド部２１ａの最下端）と第２の掛止部（先端延出部２１ｃの最下端）との間の長さは、支柱１の上部ポケット体３ａまたは下部ポケット体３ｂの高さと同一になるように設定されている。また、ガイド部２１ａの最下端の高さ位置は、水平部材１１の胴体部と重なる位置に設定されている。
【００３１】  この案内孔２１には、掛止ボルト１７が案内自在に挿通される。掛止ボルト１７は、一対の止め部材１６を支持しつつ案内孔２１に挿通され、掛止ナット１８によって螺合されることにより、ホゾ１３の案内孔２１内を移動自在とされる。掛止ボルト１７は、その長さがホゾ１３の直径、一対の止め部材１６の板厚及び掛止ナット１８の高さを合わした長さ以上とされている。
【００３２】  ホゾ１３には、略逆Ｌ字状の案内孔２１の上方に二対の固定孔２２が形成されている。固定孔２２は、図示しないロック部材が挿通され、ホゾ１３に嵌着された分岐用支柱６を固定するためのものである。
【００３３】  止め部材１６は、正面視で略六角形状に形成されている。止め部材１６は、ホゾ１３の表面に沿うように、ホゾ１３の表面の曲率半径とほぼ等しい曲率半径を有する弓状に形成されている。止め部材１６の中央には、掛止ボルト１７が挿通される挿通孔１６ａが形成されている。止め部材１６の上端は、分岐用支柱６を担持するために略水平に形成されている。止め部材１６の下端角部は、下方に向かうほど狭幅になるようにテーパ状に形成されている。なお、止め部材１６の形状は、上記に示す形状に限るものではない。
【００３４】  この張り出しブラケット１０では、これらホゾ１３、止め部材１６及び掛止ボルト１７により、掛止ボルト１７が第１の掛止部（ガイド部２１ａの最下端）に掛止される第１の状態（図２（ｂ）参照）と、掛止ボルト１７が第２の掛止部（先端延出部２１ｃの最下端）に掛止される第２の状態（図３参照）とを有する。すなわち、第１の状態と第２の状態では、掛止ボルト１７に支持される止め部材１６の上端の位置が異なるようにされる。
【００３５】  次に、張り出しブラケット１０の作用について説明する。
【００３６】  まず、図１に示すように、張り出しブラケット１０のクサビ１２が支柱１の上側ポケット体３ａに楔着される場合について説明する。この場合、掛止ボルト１７は、例えば作業者によって案内孔２１の第１の掛止部（ガイド部２１ａの最下端）に掛止するように固定される第１の状態に設定される。
【００３７】  この第１の状態において、ホゾ１３に分岐用支柱６が嵌着されると、分岐用支柱６は止め部材１６の上端に担持される。これにより、分岐用支柱６は、その上部ポケット体８ａの高さ位置が支柱１の上部ポケット体３ａの高さ位置と一致するようになる。したがって、上部ポケット体８ａ及び上部ポケット体３ａを利用して、足場板や手摺（いずれも図示せず）を水平状態に取付けることができる。
【００３８】  また、この場合、止め部材１６の下端角部がテーパ状に形成されているので、ガイド部２１ａの最下端に掛止ボルト１７が掛止されたとき、止め部材１６の下部と水平部材１１の胴体部とが接触することを回避することができる。
【００３９】  すなわち、例えば止め部材１６に代わるものとして円筒状のものが用いられた場合には、図１に示した状態では、円筒状のものが水平部材１１の胴体部に当たり、分岐用支柱６を良好な高さ位置に設定できないことがある。本実施形態では、止め部材１６は板状に形成されかつその下端角部がテーパ状に形成されているので、水平部材１１との接触を回避することができる。
【００４０】  また、分岐用支柱６は、止め部材１６の上端に担持されるので、ホゾ１３には、背景技術の欄で説明したホゾ５３（図８参照）のように段差５６を形成する必要がない。そのため、張り出しブラケット１０の製作時に段差５６を形成するための加工工程を省略でき、製造コストを低減することができる。
【００４１】  次に、図４に示すように、張り出しブラケット１０のクサビ１２が支柱１の下側ポケット体３ｂに楔着される場合について説明する。この場合、掛止ボルト１７は、例えば作業者によって案内孔２１の第２の掛止部（先端延出部２１ｃの最下端）に掛止するように固定される第２の状態に設定される。
【００４２】  この第２の状態において、ホゾ１３に分岐用支柱６が嵌着されると、分岐用支柱６は止め部材１６の上端に担持される。この場合、止め部材１６の上端の高さ位置は、第１の状態に比してポケット体８ａ，８ｂの高さだけ上方に設定される。これにより、分岐用支柱６は、その下部ポケット体８ｂの高さ位置が支柱１の下部ポケット体３ｂの高さ位置と一致するようになる。したがって、下部ポケット体８ｂ及び下部ポケット体３ｂを利用して、足場板や手摺（いずれも図示せず）を水平状態に取付けることができる。
【００４３】  このように、掛止ボルト１７を案内孔２１内で移動させ、第１の掛止部または第２の掛止部に掛止させることにより、止め部材１６の高さ位置を容易に変更することができる。そのため、支柱１の向きが平面視で９０°変えられて、張り出しブラケット５のクサビ１２が上部ポケット体３ａまたは下部ポケット体３ｂにその都度楔着されたとしても、掛止ボルト１７を第１の掛止部または第２の掛止部に掛止させるといった簡単な作業で分岐用支柱６の高さ位置を容易に調整することができる。したがって、従来の構成のように、支柱１の向きによって張り出しブラケット５，５′をそれぞれ使い分けたり、スペーサ５７を用いたりすることなく、足場板や手摺等を設置する際に水平状態を確実に維持することができる。
【００４４】  なお、本発明の範囲は上述した実施の形態に限定されるものではなく、発明の範囲を逸脱しない範囲で種々の変更を行うことができる。例えば上記実施形態においては、止め部材１６が用いられていたが、これに代えて、例えば図５に示すように、平面視で略Ｃ字状の止め部材２３が用いられていてもよい。この止め部材２３には、掛止ボルト１７が挿通される一対の挿通孔２３ａが形成され、下端角部がテーパ状に形成されている。
【００４５】  この止め部材２３によれば、止め部材１６と同様に、分岐用支柱６の高さ位置を調整することができる。また、上記止め部材１６に比べ、分岐用支柱６との当接面積が増えるので、より安定して分岐用支柱６を担持することができる。さらに、一対の止め部材１６に比べ、部品点数を少なくすることができ、その取扱いが容易となる。
【００４６】  また、上記実施形態に示した止め部材１６を含む張り出しブラケット１０の構成は、図６に示すように、梁枠２４に適用するようにしてもよい。梁枠２４は、例えば仮設足場において所定の領域に作業者が通行するための開口を設けるときにその上部に敷設されるものである。この場合、中央部に上記した止め部材１６が設けられる。
【００４７】  また、上記実施形態における張り出しブラケットや梁枠を構成する部材の数、形状及び大きさ等は、上記実施形態に限るものではなく、適宜設計変更可能である。
【符号の説明】
【００４８】  １    支柱
３    ポケット体（支柱の）
５    張り出しブラケット（従来の）
６    分岐用支柱
８    ポケット体（分岐用支柱の）
１０    張り出しブラケット
１１    水平部材
１２    クサビ
１３    ホゾ
１６    止め部材
１７    掛止ボルト
２１    案内孔
２１ａ  ガイド部
２１ｂ  水平部
２１ｃ  先端延出部
２３    止め部材
２４    梁枠
【図１】
0005858358.tif 000002
【図２】
0005858358.tif 000003
【図３】
0005858358.tif 000004
【図４】
0005858358.tif 000005
【図５】
0005858358.tif 000006
【図６】
0005858358.tif 000007
【図７】
0005858358.tif 000008
【図８】
0005858358.tif 000009
【図９】
0005858358.tif 000010
【図１０】
0005858358.tif 000011